(57)【要約】      （修正有）【課題】散水部の損傷を回避しながら、容易に組み立てることができるシャワーヘッドを提供する。【解決手段】外観部材２の内部に通水路部材１６が配置された構造のシャワーヘッドであって、供給された湯水を流入される流入部、及び流入した湯水を吐出させる散水部を備えた通水路部材１６と、組立て時において通水路部材１６を挿入するための端部開口部２ａ、及び内部の所定の組付位置に配置された通水路部材１６の散水部と整合するように形成された散水開口部を備えた筒状の外観部材２と、組立て時において通水路部材１６を端部開口部２ａから挿入する際、散水部と外観部材２の内側表面が離間した状態で通水路部材１６を組付位置へ案内するガイド機構となるレール１２ａ及び摺動突起１６ａと、を有し、組み立てられた状態においては、散水部の少なくとも一部が散水開口部の内側表面よりも外方に突出させた。【選択図】図３
2014008328.tif 000002
【特許請求の範囲】
【請求項１】
外観部材の内部に通水路部材が配置された構造のシャワーヘッドであって、
供給された湯水を流入される流入部、及び流入した湯水を吐出させる散水部を備えた通水路部材と、
組立て時において上記通水路部材を挿入するための端部開口部、及び内部の所定の組付位置に配置された上記通水路部材の上記散水部と整合するように形成された散水開口部を備えた筒状の外観部材と、
組立て時において上記通水路部材を上記端部開口部から挿入する際、上記散水部と上記外観部材の内側表面が離間した状態で上記通水路部材を上記組付位置へ案内するガイド機構と、を有し、
組み立てられた状態においては、上記散水部の少なくとも一部が上記散水開口部の内側表面よりも外方に突出していることを特徴とするシャワーヘッド。
【請求項２】
上記散水部は複数の散水ノズルを備え、上記散水開口部は上記複数の散水ノズル各々を受け入れる複数の小穴から構成されている請求項１記載のシャワーヘッド。
【請求項３】
上記ガイド機構は、上記通水路部材が上記組付位置まで挿入されると、上記散水部の少なくとも一部が上記散水開口部の内側表面よりも外方に突出するのを許容するように構成されている請求項１又は２に記載のシャワーヘッド。
【請求項４】
上記ガイド機構は、上記通水路部材の挿入を案内するレールと、上記通水路部材の挿入時において、上記レール上を摺動し、上記散水部と上記外観部材の内側表面を離間させる摺動突起と、上記レール上に設けられ、上記通水路部材が上記組付位置に到達すると、上記摺動突起を受け入れて、上記通水路部材を位置決めすると共に、上記散水部の一部が上記散水開口部の内側表面よりも外方に突出するのを許容する突起受入凹部と、を有する請求項３記載のシャワーヘッド。
【請求項５】
上記ガイド機構は、上記外観部材とは別体の部品により構成されている請求項１乃至４の何れか１項に記載のシャワーヘッド。
【発明の詳細な説明】
【技術分野】
【０００１】
本発明は、シャワーヘッドに関するものであり、特に、外観部材の内部に通水路部材が配置された構造のシャワーヘッドに関する。
【背景技術】
【０００２】
特開２０１０−２０７４１６号広報（特許文献１）、及び独国特許出願公開ＤＥ１０２０１００１８６７０号広報（特許文献２）には、ハンドシャワーヘッドが記載されている。これらのハンドシャワーヘッドは、シャワーヘッドの外観を構成する外観部材の内部に、別体の通水路部材が配置された構成を備えている。このような構成のシャワーヘッドにおいては、湯水を細い線状の流れとして吐出させる多数のノズル孔は、通水路部材の側に形成されている。一方、外観部材の側には、通水路部材に形成された多数のノズル孔を夫々露出させる多数の小穴が形成されており、通水路部材は、各ノズル孔が外観部材の各小穴と整合するように、外観部材の内部に配置される。また、別の構成では、外観部材には、通水路部材の多数のノズル孔が形成された領域全体を露出させる大きな開口部が設けられており、多数のノズル孔が形成された領域が外観部材の開口部に整合されるように、通水路部材が外観部材の内部に配置される。
【０００３】
外観部材と通水路部材が別体に構成されたタイプのシャワーヘッドは、外観に影響を与えることなく、シャワーヘッドに種々の機能を付加することが可能となるため、広く採用されている。
【先行技術文献】
【特許文献】
【０００４】
【特許文献１】特開２０１０−２０７４１６号広報
【特許文献２】独国特許出願公開ＤＥ１０２０１００１８６７０号広報
【発明の概要】
【発明が解決しようとする課題】
【０００５】
しかしながら、外観部材の内部に通水路部材が配置されたタイプのシャワーヘッドにおいては、通水路部材を外観部材内部の所定の位置に配置する組み立て工程において、多数のノズル孔が形成された通水路部材の散水部を損傷しやすいという問題がある。即ち、通水路部材を外観部材の内部に挿入する際、通水路部材の散水部と外観部材の内壁面が干渉して、繊細なノズル孔が形成された散水部を傷つけてしまう場合がある。
【０００６】
特に、ＤＥ１０２０１００１８６７０号広報に記載されているシャワーヘッドでは、外観部材の先端が閉鎖されている。このような構造のシャワーヘッドにおいては、通水路部材を外観部材の基端部から挿入しながら、通水路部材の先端部に設けられた多数のノズル孔を、外観部材の先端部に形成された多数の小穴と整合させる必要があり、組み立てが困難であると共に、散水部を損傷しやすい。また、このシャワーヘッドのように、散水部がゴム製の部材で形成され、散水板に形成された細長い多数の円筒により各ノズル孔が構成されている場合においては、散水部が損傷されやすく、組み立てはより困難になる。
【０００７】
また、この問題を回避するために、シャワーヘッド組み立て時に専用のジグを使用することも行われているが、このような場合には、シャワーヘッドの品種毎に専用のジグを用意する必要があると共に、組み立ての工程数が増加するという問題がある。
【０００８】
従って、本発明は、散水部の損傷を回避しながら、容易に組み立てることができるシャワーヘッドを提供することを目的としている。
【課題を解決するための手段】
【０００９】
上述した課題を解決するために、本発明は、外観部材の内部に通水路部材が配置された構造のシャワーヘッドであって、供給された湯水を流入される流入部、及び流入した湯水を吐出させる散水部を備えた通水路部材と、組立て時において通水路部材を挿入するための端部開口部、及び内部の所定の組付位置に配置された通水路部材の散水部と整合するように形成された散水開口部を備えた筒状の外観部材と、組立て時において通水路部材を端部開口部から挿入する際、散水部と外観部材の内側表面が離間した状態で通水路部材を組付位置へ案内するガイド機構と、を有し、組み立てられた状態においては、散水部の少なくとも一部が散水開口部の内側表面よりも外方に突出していることを特徴としている。
【００１０】
このように構成された本発明においては、組立て時において、外観部材の端部開口部から通水路部材が挿入され、外観部材内部の所定の組付位置に通水路部材が到達すると、通水路部材の散水部と外観部材の散水開口部が整合される。ガイド機構は、通水路部材を挿入する際、散水部と外観部材の内側表面が離間した状態で通水路部材を組付位置へ案内すると共に、組み立てられた状態においては、散水部の少なくとも一部が散水開口部の内側表面よりも外方に突出される。
【００１１】
このように構成された本発明によれば、通水路部材を外観部材内部の所定の組付位置まで挿入する際、散水部と外観部材の内側表面が離間した状態で通水路部材が案内されるので、組み立て時において、散水部と外観部材の内側表面が干渉し、散水部が損傷されるのを防止することができる。特に、外観部材の先端部が閉鎖されたタイプのシャワーヘッドにおいては、通水路部材の挿入が困難な場合が多いが、このような場合においても、散水部の損傷を確実に防止することができる。
【００１２】
本発明において、好ましくは、散水部は複数の散水ノズルを備え、散水開口部は複数の散水ノズル各々を受け入れる複数の小穴から構成されている。
このように構成された本発明においては、散水部は複数の散水ノズルを備えており、これらが複数の小穴に夫々挿入される。これにより、各散水ノズルが細く、損傷されやすい形態に構成された場合においても、本発明によれば、散水ノズルの損傷を確実に防止することができる。
【００１３】
本発明において、好ましくは、ガイド機構は、通水路部材が組付位置まで挿入されると、散水部の少なくとも一部が散水開口部の内側表面よりも外方に突出するのを許容するように構成されている。
【００１４】
このように構成された本発明によれば、通水路部材の散水部が外観部材の散水開口部と整合する組付位置まで通水路部材が挿入されると、散水部の外方への突出が許容されるので、散水部と外観部材の干渉を確実に回避しながら、散水部を突出させることができる。
【００１５】
本発明において、好ましくは、ガイド機構は、通水路部材の挿入を案内するレールと、通水路部材の挿入時において、レール上を摺動し、散水部と外観部材の内側表面を離間させる摺動突起と、レール上に設けられ、通水路部材が組付位置に到達すると、摺動突起を受け入れて、通水路部材を位置決めすると共に、散水部の一部が散水開口部の内側表面よりも外方に突出するのを許容する突起受入凹部と、を有する。
【００１６】
このように構成された本発明によれば、摺動突起が突起受入凹部に受け入れられることにより、散水部の外方への突出が許容されるので、散水部を外方へ突出させると同時に、通水路部材を組付位置に位置決めすることができる。
【００１７】
本発明において、好ましくは、ガイド機構は、外観部材とは別体の部品により構成されている。
このように構成された本発明によれば、ガイド機構が外観部材と別体に構成されているので、外観部材にガイド機構を設ける必要がなく、外観部材を金属の薄板等で構成することが可能になる。また、外観部材の肉厚を薄くすることが可能になるので、外観部材を金属で形成した場合においても、シャワーヘッドを軽量化することができる。
【発明の効果】
【００１８】
本発明のシャワーヘッドによれば、散水部の損傷を回避しながら、容易に組み立てることができる。
【図面の簡単な説明】
【００１９】
【図１】本発明の実施形態によるシャワーヘッドの外観図である。
【図２】本発明の実施形態によるシャワーヘッドの全断面図である。
【図３】本発明の実施形態によるシャワーヘッドの分解斜視図である。
【図４】シャワーヘッドの組み立て途中における通水路部材とガイド部材の位置関係を示す斜視図である。
【図５】シャワーヘッドの組み立て途中における通水路部材と外観部材の位置関係を示す横断面図である。
【図６】シャワーヘッドの組み立て完了時における通水路部材と外観部材の位置関係を示す横断面図である。
【発明を実施するための形態】
【００２０】
次に、添付図面を参照して、本発明の好ましい実施形態を説明する。
図１は、本発明の実施形態によるシャワーヘッドの外観図である。
図１に示すように、本発明の実施形態によるシャワーヘッド１は、概ね円柱状の形状を有し、その基端部にシャワーホース（図示せず）が接続されるように構成されている。また、シャワーヘッド１の先端側の領域には、多数の散水孔が設けられている。これらの散水孔は、後述するように、シャワーヘッド１の内部に収納された通水路部材に形成された多数のノズル孔により構成されている。
【００２１】
次に、図２乃至図６を参照して、シャワーヘッド１の内部構造を説明する。
図２は本発明の実施形態によるシャワーヘッド１の全断面図である。図３は本発明の実施形態によるシャワーヘッド１の分解斜視図である。図４は、組み立て途中における通水路部材とガイド部材の位置関係を示す斜視図である。図５は組み立て途中における通水路部材と外観部材の位置関係を示す横断面図である。図６は組み立て完了時における通水路部材と外観部材の位置関係を示す横断面図である。
【００２２】
図２及び図３に示すように、本実施形態のシャワーヘッド１は、外観部材２と、ホース接続部材４と、このホース接続部材４に連結される散水室構成部材６と、散水室構成部材６の背面側を覆う散水室蓋８と、散水室構成部材６の中に配置される散水板１０と、ガイド部材１２と、オフセット部材１４と、を有する。また、本実施形態において、ホース接続部材４、散水室構成部材６、散水室蓋８、及び散水板１０は、通水路部材１６を構成する。
【００２３】
外観部材２は、金属の薄板で構成され、先端部が閉鎖された概ね円筒状の部材である。外観部材２の基端側は開放されており、通水路部材１６を挿入するための端部開口部２ａを構成している。また、外観部材２の先端側には、散水板１０に設けられた散水ノズルを突出させるための散水開口部である多数の小穴２ｂが設けられている。
【００２４】
ホース接続部材４は、概ね管状の部材であり、その基端部にはシャワーホース（図示せず）が接続され、湯水が流入する流入部４ａが設けられている。また、ホース接続部材４の先端部は、散水室構成部材６の基端部に挿入されるように構成されており、ホース接続部材４と散水室構成部材６は介装されたＯリングにより水密的に連結される。
【００２５】
散水室構成部材６は、扁平で細長い散水室を構成するための部材であり、基端側にはホース接続部材４を接続するための接続部が設けられ、この接続部と連通するように箱形の散水室部６ａが構成されている。散水室部６ａには、散水板１０に設けられた散水ノズルを突出させるための多数の散水室穴６ｂが設けられている。また、散水室部６ａの背面側は開放されており、この開口部には散水室蓋８が取り付けられ、開口部が水密的に閉鎖されている。
【００２６】
散水板１０は、ゴム製で、多数の散水ノズル１０ａが設けられており、散水室部６ａの内壁面に沿って配置されるように箱形に形成された部材である。各散水ノズル１０ａは概ね円錐形に構成され、散水板１０の薄板状の部分から外観部材２の外方に突出するように形成されている。図２に示すように、散水板１０は散水室部６ａの中に配置され、シャワーヘッド１が組み立てられた状態においては、各散水ノズル１０ａの先端は、各散水室穴６ｂ及び外観部材２の小穴２ｂを通って外部に突出する。このように、散水板１０をゴムで形成し、散水ノズル１０ａが外部に突出した構成とすることにより、水道水に含まれるカルシウム等が散水ノズル１０ａのノズル孔に固着して、ノズル孔が詰まった場合においても、散水ノズル１０ａを手指で摘んで変形させることにより、容易に固着した異物を除去することができる。なお、本実施形態においては、各散水ノズル１０ａは、通水路部材１６の散水部を構成する。
【００２７】
図３及び図４に示すように、ガイド部材１２は、外観部材２の内壁面に沿うように配置されるフレーム状の部材である。ガイド部材１２は、シャワーヘッド１の長手方向に、平行に延びる２本のレール１２ａと、これらのレール１２ａの先端部に夫々形成された突起受入凹部１２ｂと、を有する。各レール１２ａは、通水路部材１６が外観部材２に挿入される際に、通水路部材１６の両側面に夫々設けられた摺動突起１６ａを摺動させるように構成されている。また、突起受入凹部１２ｂは、通水路部材１６が所定の組付位置まで挿入されたとき、各摺動突起１６を受け入れるように位置決めされている。なお、本実施形態においては、ガイド部材１２は、外観部材２とは別体の部品として設けられているが、ガイド部材１２を外観部材２と一体に構成することもできる。
【００２８】
オフセット部材１４は、概ね半円形断面の板状の部材である。オフセット部材１４は、シャワーヘッド１の組み立て時において、通水路部材１６の背面側と外観部材２の内壁面の間の隙間にガタなく挿入されように構成されている。これにより、外観部材２内における通水路部材１６の位置が固定される。
【００２９】
次に、図５及び図６を新たに参照して、本発明の実施形態によるシャワーヘッド１の組み立て手順を説明する。
まず、図２に示すように、散水板１０を、散水室構成部材６の散水室部６ａ内に配置する。これにより、散水板１０の多数の散水ノズル１０ａが、散水室部６ａに設けられた多数の散水室穴６ｂから夫々突出する。次いで、散水室構成部材６の背面側に散水室蓋８を取り付け、散水室部６の背面側の開口部を水密的に閉鎖する。さらに、散水室構成部材６の基端部にホース接続部材４の先端部を挿入し、散水室構成部材６とホース接続部材４を一体化する。これにより、散水板１０、散水室構成部材６、散水室蓋８、及びホース接続部材４が一体的に組み立てられ、水密性のある通水路部材１６が構成される。
【００３０】
次に、図３に示すように、ガイド部材１２を、端部開口部２ａを介して外観部材２に挿入する。ガイド部材１２が所定の位置まで挿入されると、ガイド部材１２に設けられた抜け止め突起１２ｄ（図４）が、外観部材２に設けられた抜け止めスリット２ｃ（図３）に受け入れられ、ガイド部材１２が位置決めされる（図２）。これにより、ガイド部材１２の２本のレール１２ａは、外観部材２の多数の小穴２ｂが設けられた領域の両側に位置するように配置される。
【００３１】
次いで、ガイド部材１２が挿入された外観部材２に、先に組み立てられた通水路部材１６を、端部開口部２ａから挿入する。この際、図４に示すように、通水路部材１６の両側面の摺動突起１６ａが、２本のレール１２ａ上を夫々摺動されるように、通水路部材１６を所定の位置まで挿入する。このように、各摺動突起１６ａが２本のレール１２ａ上に夫々位置する状態においては、図５に示すように、散水部の一部である各散水ノズル１０ａの先端と、図５に一点鎖線で示す外観部材２の内側表面Ｗが離間されており、この状態で通水路部材１６がガイド部材１２によって案内される。従って、本実施形態においては、ガイド部材１２のレール１２ａ及び通水路部材１６の摺動突起１６ａが、ガイド機構を構成する。このように、通水路部材１６は、各散水ノズル１０ａの先端が外観部材２の内側表面Ｗから離間された状態で案内されるので、組み立て時においてこれらが干渉し、散水ノズル１０ａが損傷されるのを防止することができる。
【００３２】
さらに、通水路部材１６が所定の組付位置まで挿入されると、通水路部材１６の各摺動突起１６ａとガイド部材１２の各突起受入凹部１２ｂが整合し、各摺動突起１６ａが各突起受入凹部１２ｂに受け入れ可能となる。これにより、外観部材２の内側表面Ｗへ向けた通水路部材１６の移動が許容される。各摺動突起１６ａと各突起受入凹部１２ｂが整合した状態においては、通水路部材１６から突出している各散水ノズル１０ａと、外観部材２に設けられた各小穴２ｂが整合するので、これらが干渉することはない。
【００３３】
通水路部材１６が所定の組付位置まで挿入された状態で、内側表面Ｗへ向けて通水路部材１６を移動させると、各摺動突起１６ａが各突起受入凹部１２ｂに受け入れられ、通水路部材１６の長手方向位置が位置決めされる。また、これに伴い、図６に示すように、各散水ノズル１０ａの先端が、内側表面Ｗよりも外方に突出される。この状態において、通水路部材１６の背面側（散水ノズル１０ａの反対側）と外観部材２の内壁面との間に、オフセット部材１４が挿入される。これにより、通水路部材１６の背面側への移動が規制され、通水路部材１６は各散水ノズル１０ａが突出した状態に位置決めされる。
【００３４】
また、この状態においては、ホース接続部材４の基端部に形成された抜け止め突起４ｂ（図４）が、ガイド部材１２に設けられた抜け止めスリット１２ｃ（図４）に受け入れられる（図２）。これにより、通水路部材１６及びガイド部材１２が外観部材２から脱落するのを防止している。さらに、シャワーヘッド１の背面側には、抜け止め小片１８が、外観部材２の背面側の抜け止めスリット２ｄを通して、ホース接続部材４の基端部に嵌め込まれる（図２、図３）。この抜け止め小片１８はオフセット部材１４の基端面と係合する（図２）ため、抜け止め小片１８が装着されることにより、オフセット部材１４の外観部材２からの脱落が防止される。
【００３５】
最後に、カバーリング２０が外観部材２の基端面に装着される（図２、図３）。このカバーリング２０は、ホース接続部材４の基端部を取り囲むように配置される円環状の部材であり、ホース接続部材４の基端部にスナップ止めされることにより、外観部材２の基端面に固定される。
【００３６】
シャワーヘッド１の実使用時においては、ホース接続部材４の流入部４ａにシャワーホース（図示せず）が接続される。シャワーホースから供給された湯水は流入部４ａから流入され、散水室構成部材６の散水室部６ａを介して、散水板１０の各散水ノズル１０ａから吐出される。
【００３７】
本発明の実施形態のシャワーヘッド１によれば、通水路部材１６を外観部材２内部の所定の組付位置まで挿入する際、散水ノズル１０ａと外観部材２の内側表面Ｗが離間した状態（図５）で通水路部材１６が案内されるので、組み立て時において、散水ノズル１０ａと外観部材２の内側表面Ｗが干渉し、散水ノズル１０ａが損傷されるのを防止することができる。特に、本実施形態においては、外観部材２の先端部が閉鎖されているため、基端部からの通水路部材１６の挿入は困難であるが、散水ノズル１０ａの損傷を確実に防止することができる。
【００３８】
また、本実施形態のシャワーヘッド１において、多数の散水ノズル１０ａが多数の小穴２ｂに夫々挿入される。このため、各散水ノズル１０ａと各小穴２ｂの整合が困難であり、細い散水ノズル１０ａが損傷されやすい構造であるが、本実施形態によれば、散水ノズル１０ａの損傷を確実に防止することができる。
【００３９】
さらに、本実施形態のシャワーヘッド１によれば、通水路部材１６の各散水ノズル１０ａが外観部材２の各小穴２ｂと整合する組付位置まで通水路部材１６が挿入されると、各散水ノズル１０ａの外方への突出が許容されるので、散水ノズル１０ａと外観部材２の干渉を確実に回避しながら、各散水ノズル１０ａを突出させることができる。
【００４０】
また、本実施形態のシャワーヘッド１によれば、各摺動突起１６ａが各突起受入凹部１２ｂに受け入れられることにより、各散水ノズル１０ａの外方への突出が許容されるので、散水ノズル１０ａを外方へ突出させると同時に、通水路部材１６を組付位置に位置決めすることができる。
【００４１】
さらに、本実施形態のシャワーヘッド１によれば、ガイド部材１２が外観部材２と別体に構成されているので、外観部材２にガイドするための機構を設ける必要がなく、本実施形態のように、外観部材２を金属の薄板等で構成することができる。また、外観部材２の肉厚を薄くすることができるので、金属製の外観部材２を採用しながら、シャワーヘッド１を軽量化することができる。
【００４２】
以上、本発明の好ましい実施形態を説明したが、上述した実施形態に種々の変更を加えることができる。特に、上述した実施形態においては、通水路部材１６の散水部は、複数の散水ノズル１０ａにより構成され、外観部材１の散水開口部は、各散水ノズル１０ａを受け入れる複数の小穴２ｂにより構成されていた。しかしながら、変形例として、通水路部材１６の散水部を複数のノズル孔が形成されている領域により構成する一方、この領域と整合する開口部により外観部材２の散水開口部を構成することもできる。
【００４３】
また、上述した実施形態においては、通水路部材１６に摺動突起１６ａが形成され、ガイド部材１２に、これを受け入れる突起受入凹部１２ｂが形成されていたが、ガイド部材１２側に摺動突起を設け、通水路部材１６側に突起受入凹部を設けることもできる。
【００４４】
さらに、上述した実施形態においては、外観部材２の先端は閉鎖されていたが、外観部材の先端が開放されており、この先端開放部を別体の部品で閉鎖するタイプのシャワーヘッドに本発明を適用することもできる。この場合において、外観部材の先端開放部と、散水開口部は、一体的に形成されていてもよい。
【符号の説明】
【００４５】
１    本発明の実施形態によるシャワーヘッド
２    外観部材
２ａ  端部開口部
２ｂ  小穴（散水開口部）
２ｃ  抜け止めスリット
２ｄ  抜け止めスリット
４    ホース接続部材
４ａ  流入部
４ｂ  抜け止め突起
６    散水室構成部材
６ａ  散水室部
６ｂ  散水室穴
８    散水室蓋
１０    散水板
１０ａ  散水ノズル（散水部）
１２    ガイド部材
１２ａ  レール
１２ｂ  突起受入凹部
１２ｃ  抜け止めスリット
１２ｄ  抜け止め突起
１４    オフセット部材
１６    通水路部材
１６ａ  摺動突起
１８    抜け止め小片
２０    カバーリング
【図１】
2014008328.tif 000003
【図２】
2014008328.tif 000004
【図３】
2014008328.tif 000005
【図４】
2014008328.tif 000006
【図５】
2014008328.tif 000007
【図６】
2014008328.tif 000008